(57)【要約】  本発明は、コンタクト部材の位置をチャンバブロック（２）内に固定するためのコンタクト固定手段（１７）を有する、少なくとも１つのコンタクト部材を受容するためのチャンバブロック（２）を有するプラグコネクタ（１）に関する。また、寸法が小さくてもプラグコネクタ（１）を簡単且つコスト効果良く製造することができるように、本発明によれば、コンタクト固定部（１７）が、チャンバブロック（２）内に設けられ且つ受容方向（Ａ）に対して横断方向に開口している凹み（１５）内でチャンバブロック（２）の外側から少なくとも部分的にアクセス可能であるように配置されることが規定される。
2014520376.tif 000002
【特許請求の範囲】
【請求項１】
少なくとも１つの電気コンタクト部材のためのチャンバブロック（２）を受容方向（Ａ）に貫通する少なくとも１つの受容チャンバ（１４）と前記受容チャンバ（１４）内で前記コンタクト部材の位置を固定するためのコンタクト固定部（１７）を有するように構成される前記チャンバブロック（２）を有するプラグコネクタ（１）であって、
前記チャンバブロック（２）は、前記少なくとも１つの受容チャンバ（１４）と交差し且つ前記受容方向（Ａ）に対して少なくとも横断方向に開口しており前記コンタクト固定部（１７）の係止手段（１８）が自在に突入する少なくとも１つのチャネル状の凹み（１５）を有することを特徴とするプラグコネクタ（１）。
【請求項２】
前記受容チャンバ（１４）が、前記チャンバブロック（２）のベース部（６）から前記受容方向（Ａ）に対して垂直に突出し且つ前記プラグコネクタ（１）のプラグ面（７）に隣接するクロージャカラー（９）上に形成される停止部材（２１）によって少なくとも部分的に区切られる請求項１に記載のプラグコネクタ（１）。
【請求項３】
前記チャンバブロック（２）が、前記受容チャンバ（１４）のコンタクト開口（８）から離間して配置され、前記受容方向（Ａ）と実質的に平行に前記係止手段（１８）へのアクセスを可能にする前記凹み（１５）に対するアクセス開口（１３）を備えるように構成されることを特徴とする請求項１又は請求項２に記載のプラグコネクタ（１）。
【請求項４】
前記チャンバブロック（２）が、前記受容方向（Ａ）に対して横断方向に開口しており、前記受容チャンバ（１４）と少なくとも部分的に交差する少なくとも１つの付加的なチャネル状の凹み（２３）を有し、前記凹み（１５，２３）が前記受容方向（Ａ）に前後に配置されることを特徴とする請求項１乃至３のいずれか一項に記載のプラグコネクタ（１）。
【請求項５】
前記付加的な凹み（２３）が、第２のコンタクト固定部と係合するための係止部材（２６）を有することを特徴とする請求項４に記載のプラグコネクタ（１）。
【請求項６】
前記プラグコネクタ（１）が、前記チャンバブロック（２）を少なくとも部分的に受容することができ、前記チャンバブロック（２）が前記少なくとも部分的に受容された状態において前記受容方向（Ａ）に対して横断方向に前記凹み（１５）を被覆するコンタクト固定ソケット（３）を有することを特徴とする請求項１乃至５のいずれか一項に記載のプラグコネクタ（１）。
【請求項７】
前記コンタクト固定ソケット（３）が、前記付加的な凹み（２３）に少なくとも部分的に挿入されることができ、前記少なくとも部分的に挿入された状態において前記付加的な凹み（２３）と係合され前記受容チャンバ（１４）内へ突入する少なくとも１つの弾性的に撓み可能なコンタクト固定アーム（５９）を備えるように構成されることを特徴とする請求項６に記載のプラグコネクタ（１）。
【請求項８】
前記プラグコネクタ（１）が、前記チャンバブロック（２）を少なくとも部分的に受容することができ、前記少なくとも部分的に受容された状態で前記チャンバブロック（２）が固定されるハウジング（５）を有することを特徴とする請求項１乃至７のいずれか一項に記載のプラグコネクタ。
【請求項９】
前記ハウジング（５）が、前記チャンバブロック（２）に対して固定するための前記受容方向（Ａ）に平行に延出する少なくとも１つの係止アーム（３５）を有することを特徴とする請求項８に記載のプラグコネクタ（１）。
【請求項１０】
前記ハウジング（５）が、少なくとも１つの分離ギャップ（４０，４０'）によって互いに分離される２つの部分シェル（４１，４２）と、関節部として構成され且つ前記分離ギャップ（４０，４０'）を架橋するように前記部分シェル（４１，４２）を互いに接続する少なくとも１つの弾性架橋材料部（４４）とを有することを特徴とする請求項８又は請求項９に記載のプラグコネクタ（１）。
【請求項１１】
前記分離ギャップ（４０，４０'）が、前記架橋材料部（４４）の片側に相手コネクタと係合するための係止部材（３８，３８'）を備えるように構成されることを特徴とする請求項１０に記載のプラグコネクタ（１）。
【請求項１２】
前記ハウジング（５）が、前記係止部材（３８，３８'）のための駆動部（４３）を有し、前記架橋材料部（４４）が前記係止部材（３８，３８'）と前記駆動部（４３）との間に配置されることを特徴とする請求項１１に記載のプラグコネクタ（１）。
【請求項１３】
前記チャンバブロック（２）、前記コンタクト固定ソケット（３）、及び前記ハウジング（５）は、前記プラグコネクタ（１）を組み立てるために一方が他方に嵌入されることができ、前記コンタクト固定ソケット（３）が、前記組立状態（Ｚ）において少なくとも前記受容方向（Ａ）において前記チャンバブロック（２）と前記ハウジング（５）との間に保持されることを特徴とする請求項８乃至１２のいずれか一項に記載のプラグコネクタ（１）。
【請求項１４】
前記プラグコネクタ（１）が、前記受容チャンバ（１４）に隣接するシールチャネル（４８）を有するシール部材（４）を有することを特徴とする請求項１乃至１３のいずれか一項に記載のプラグコネクタ（１）。
【請求項１５】
前記シール部材（４）は、前記ハウジング（５）の前記係止アーム（３５）のための少なくとも１つの貫通口（５２）を有することを特徴とする請求項１４に記載のプラグコネクタ（１）。
【発明の詳細な説明】
【技術分野】
【０００１】
本発明は、少なくとも１つの電気コンタクト部材のためのチャンバブロックを受容方向に貫通する少なくとも１つの受容チャンバと、受容チャンバ内のコンタクト部材の位置を固定するためのコンタクト固定部材とで構成されるチャンバブロックを有するプラグコネクタに関する。
【背景技術】
【０００２】
導入部で言及したタイプのプラグコネクタは一般的に知られており、例えば自動車分野において、特に自動車の制御デバイスにセンサを接続するために用いられている。この場合、プラグコネクタを可能な限り小さく構成するが、プラグコネクタにコンタクト固定部材を備えることが必要となることが多い。特に、寸法が小さく、コンタクト固定部材を備えるチャンバブロックを、射出成形コンポーネントとして射出成形金型から容易に離型することができるように構成することは難しい。コンタクト固定部は少なくとも１つの隠れたアンダーカットを有するため、コンタクト固定部材によって、射出成形金型から離型することがより難しくなることが多い。それでもプラグコネクタ又はそのコンポーネントを金型から離型することができるようにするためには、射出成形金型を、複雑な、従ってコストがかかる方法で構成するか、コンタクト固定部材の機能を損なうような方法でプラグコネクタを金型から離型する。
【発明の概要】
【発明が解決しようとする課題】
【０００３】
従って、本発明の目的は、コンタクト固定部材を有するプラグコネクタであって、比較的単純な方法で構成された射出成形金型から容易に離型することができるプラグコネクタを提供することである。
【課題を解決するための手段】
【０００４】
この目的は、導入部で言及したプラグコネクタに関して、チャンバブロックが、少なくとも１つの受容チャンバと交差し受容方向に対して少なくとも横断方向に開口しコンタクト固定部材の係止手段が自在に突入する少なくとも１つのチャネル状の凹みを有することによって達成される。
【０００５】
この開口した凹みと、開口した凹み内に自在に突入する係止手段により、射出成形金型に単純な摺動部材を備えることができ、この摺動部材によってコンタクト固定部材が金型から離型されることができ、この摺動部材は、あまり構造的に複雑に取り扱う必要がなく、金型からのプラグコネクタ又はチャンバブロックの離型を妨げることがない。受容チャンバを少なくとも部分的に貫通する開口した凹みによって、摺動部材は、単純な方法で構成されることができ、金型からの離型に関してほとんど複雑になることなく動かされることができることが保証される。
【０００６】
本発明による解決策は、各々がそれ自体で有益であり互いに自在に組み合わせることができる様々な構成によって更に改良することができる。これらの構成、及びそれに関連する利益が以下に記述され、構造的措置及びその効果は、実質的に、受容チャンバを１つだけ有するチャンバブロックに関して単に一例として記述される。当然のことながら、チャンバブロックは、いずれの場合も少なくとも１つのコンタクト部材に対して複数の受容チャンバを有してもよい。
【０００７】
コンタクト部材が受容方向に平行に又は特に受容方向の反対方向に不要に動くことを防止するためにコンタクト固定部材の係止部材が構成されてもよい。また、コンタクト部材が反対方向に動くことを阻止することができるように、第１の有益な構成における受容チャンバは、停止部材によって受容方向に平行な方向に少なくとも部分的に区切られてもよい。停止部材は、コンタクト部材がコンタクト固定部材に逆らって動くことを阻止するように構成されてもよい。コンタクト部材はこのようにして受容チャンバ内に固定されることができる。このため、停止部材は受容方向と平行に係止部材に対向して配置されてもよい。その結果、チャンバブロック内のコンタクト部材の位置は、受容方向と、受容方向の反対方向の両方向に固定されることができる。
【０００８】
特に単純な方法では、停止部材は、チャンバブロックのベース部材から受容方向に対して垂直に突出するクロージャカラー上に形成されてもよい。クロージャカラーは、受容方向を向くチャンバブロックの端部に配置され、チャンバブロックのクロージャプレートの一部であってもよい。クロージャプレートは、クロージャカラーが隣接するプラグコネクタのプラグ面を有してもよい。受容方向に対して垂直なクロージャカラーの向きにより、クロージャカラーによってアンダーカットが形成されないため、金型からの離型が容易になる。受容方向を向くチャンバブロックの端部にクロージャカラーを配置し、特にクロージャカラーをクロージャプレートの一部として形成することによって、プラグコネクタを組み立てる際にクロージャカラーがプラグコネクタの他のコンポーネントに衝突することを防止する。
【０００９】
プラグコネクタの組立状態においてコンタクト固定部材及び特にその係止手段に到達することができ、その結果、コンタクト固定部材とコンタクト部材との間の係止接続を解除することができるように、チャンバブロックは前記凹みへのアクセス開口を備えてもよい。アクセス開口は、受容方向に平行に及び特に受容方向の反対方向に係止手段にアクセス可能になるように受容方向に開口する受容チャンバのコンタクト開口から離間して配置されてもよい。特に、少なくとも１つのコンタクト開口及び少なくとも１つのアクセス開口を各受容チャンバと関連させてもよい。アクセス開口によって、例えばマンドレルが、受容方向の反対方向に容易に係止手段に到達することができる。その結果、弾性変形可能な係止手段をその係止位置から撓ませることができ、係止接続を結果的に開くことができる。
【００１０】
例えば、アクセス開口は、クロージャカラーにおいてコンタクト開口に隣接させて、好ましくは受容方向に対して横断方向に開口するギャップとして形成してもよい。アクセス開口のギャップ状の構成により、射出成形金型の構造形態も単純化され、金型からの離形が容易になる。
【００１１】
受容方向の反対方向に働く引張力がコンタクト部材をチャンバブロックから引き出そうとしてもチャンバブロック内のコンタクト部材の位置が確実に固定されることを保証するため、プラグコネクタには第２のコンタクト固定部材が形成されてもよい。このような第２のコンタクト固定部材を設けるため、チャンバブロックは、受容方向に対して横断方向に開口する少なくとも１つの付加的なチャネル状の凹みを有してもよい。この付加的な凹みも、少なくとも１つの受容チャンバと交差し、その受容チャンバを少なくとも部分的に貫通してもよい。その結果、付加的な凹みの領域においてもチャンバブロックの外側からコンタクト部材にアクセス可能である。
【００１２】
コンタクト部材の位置の冗長な固定を保証するため、これらの付加的な凹みは、受容方向の前後に配置されてもよい。それにより、コンタクト部材の様々な部分にコンタクト固定部材がアクセス可能である。
【００１３】
環境条件が過酷であっても第２のコンタクト固定部材がその固定位置に留まるように、付加的な凹みは、第２のコンタクト固定部材と係合するための係止部材を有してもよい。
【００１４】
チャンバブロックの外側から容易にアクセス可能である受容チャンバは、コンタクトチャンバに配置されるコンタクト部材の機能が外部の影響によって損なわれるおそれを伴う。従って、特に自動車にとって必要であるが、その他の用途においても必要なのは、凹みのうちの少なくとも１つを外部の影響から保護することである。このため、プラグコネクタはコンタクト固定ソケットを有してもよく、コンタクト固定ソケット内にはチャンバブロックが少なくとも部分的に受容されることができ、チャンバブロックが少なくとも部分的に受容された状態にあるとき、コンタクト固定ソケットによって凹みの内の少なくとも１つが受容方向に対して横断方向に覆われる。特に有利な構成において、コンタクト固定ソケットは、少なくとも１つの固定状態において、少なくとも係止手段を備える凹み、及び、任意ではあるが、全ての凹みを、完全に覆ってもよい。
【００１５】
第２のコンタクト固定部の機能を保証するため、コンタクト固定ソケットは、少なくとも１つの弾性的に撓み可能なコンタクト固定アームを備えるように構成されることができる。コンタクト固定アームは、付加的な凹み内に少なくとも部分的に挿入又は圧入されることができる。少なくとも部分的に挿入又は圧入された状態において、或いは固定状態においても、コンタクト固定アームを付加的な凹みと係合することができる。固定状態において、コンタクト固定アームは、受容チャネル内に突入し、その結果、受容チャンバ内に位置するコンタクト部材のためのストッパを形成してもよい。コンタクト固定アームは特にコンタクト部材の受容方向とは反対方向への移動を阻止することができる。
【００１６】
コンタクト固定アームがチャンバブロック及び特に付加的な凹みと係合することができるように、コンタクト固定アームは、固定状態において付加的な凹み内に係合しその係止部材と係合する固定爪を備えるように構成されることができる。
【００１７】
外部の影響から保護し、コンタクト部材を液体の侵入から保護するため、プラグコネクタは、コンタクト部材又はコンタクト部材に嵌着される導体のための受容チャネルに隣接するシールチャネルを有するシール部材を有してもよい。シール部材は、１つの受容チャネルに対して１つのシールチャネルを含んでもよい。密閉のため、シールチャネルは、シールチャネル内に環状に突入するシールリップを備えるように構成されることができる。コンタクト部材又はコンタクト部材に固定された導体は、少なくとも受容方向においてプラグコネクタ又は受容チャンバに水分が容易に侵入できないように、シールリップに密閉的に当接することができる。
【００１８】
シール部材は、更に、液体が受容チャンバの外側でも少なくとも受容方向にプラグコネクタ内に導入されることを防止するように構成されてもよい。例えば、シール部材は、プラグコネクタのハウジングにも密閉態様で隣接してもよい。このため、シール部材は、少なくとも部分的に受容方向にハウジングとチャンバブロック又はコンタクト固定ソケットとの間に配置されることができる。更に、シール部材によって、プラグコネクタと相手プラグコネクタが互いに液密に接続されることを保証することができる。
【００１９】
チャンバブロックが少なくとも部分的に受容されたコンタクト固定ソケットは、少なくとも部分的にハウジングに受容されることができてもよく、この少なくとも部分的に受容された状態でチャンバブロックがハウジングに固定されてもよい。プラグコネクタの内側に配置されたチャンバブロックに外側ハウジングを固定することによって、コンタクト固定ソケットは、少なくとも受容方向に、また受容方向の反対方向にも、ハウジングとチャンバブロックとの間で保持されることができる。特に、コンタクト固定ソケットは、受容方向の反対方向を向くクロージャカラーの側面に対してハウジングによって及び任意でシール部材を介して押圧されることができる。
【００２０】
チャンバブロックへの固定のため、ハウジングは、受容方向と平行に延出する少なくとも１つの係止アームを有してもよい。係止アームは、このために少なくとも１つの貫通口を有するシール部材を貫通して延出できる。プラグコネクタの組立状態において係止アームに密閉態様で当接するシールリップがこの貫通口に突入してもよい。
【００２１】
係止アームは、カラー、クラウン、又はフランジとして構成され且つシール部材のための受容方向に対して横断方向に延出する位置決めリブとして構成されることができるベース上に載ることができる。位置決めリブは、シール手段のシール溝内に圧入されることができ、少なくとも１つのシールリップもシール溝内に突入することができ、位置決めリブに密閉態様で当接することができる。シール手段と位置決めリブとの間の密閉接続によって、シールチャネルのバリア（障壁）と平行に作用する第２の液体バリアを形成してもよい。
【００２２】
チャンバブロックに対するハウジングの係止的な固定は、特に受容方向に平行な寸法公差によって損なわれる可能性がある。このような寸法公差を補償することができるように、シール部材は、少なくとも部分的に受容方向と平行に弾性変形することができる公差補償部材として構成されることができる。シール溝の少なくともベースは、受容方向においてチャンバブロックとハウジングとの間及びコンタクト固定ソケットとハウジングとの間の両方において配置されてもよく、弾性変形可能でもよい。弾性的に生成された締付力によって、より確実にプリテンション（予荷重）をかけ、その結果ハウジングとチャンバブロックの係止部材の相互接続を改善するので、弾性変形によって、ハウジングとチャンバブロックとの間の係止的な接続を改善することができる。
【００２３】
プラグコネクタを相手プラグコネクタに対して固定するために、ハウジングは係止部材を有してもよい。この係止部材は、係止位置から弾性的に撓ませることができる少なくとも１つの係止凹みとして構成されてもよい。係止部材は、受容方向に対して横断方向に互いに対向し互いに向かって開口した２つの係止凹みを有することができる。これらの係止凹みは、受容方向に対して横断方向に係止接続を解除するために、受容方向に対して横断方向に互いから弾性的に離れ、その結果、係止部材を開いてもよい。
【００２４】
特に有利な構成において、ハウジングはプライヤ形状に構成されることが好ましい。係止部材は、従って、ハウジングの駆動部を共に押圧することによって開かれることができる。このようなハウジングは、プラグコネクタのその他の構成にかかわりなく有利である可能性があり、独立的な発明を構成する可能性がある。
【００２５】
係止部材は、ハウジングを少なくとも２つの部分シェルに分割する少なくとも１つの分離ギャップに沿って配置されてもよい。ハウジングは、受容方向に対して横断方向に第１の分離ギャップに対向し同様に２つの部分シェルを互いに分離する第２の分離ギャップを有してもよい。２つの部分シェルは特にハーフシェルとして構成されてもよい。分離ギャップは互いに平行又は異なる向きに設定され、互いに対してずれるように又は受容方向に対して横断方向に互いに重なるように形成されてもよい。
【００２６】
プライヤ的な機能を保証するため、関節部として構成される少なくとも１つの架橋材料部によって部分シェルが互いに接続されることができる。架橋材料部は弾性的に変形可能であってもよく、受容方向においてハウジングの係止部材と駆動部との間に配置されてもよい。駆動部が受容方向に対して横断方向に一緒に押圧され、駆動部の領域において分離ギャップの幅が減少すると、架橋材料部の反対側にある係止部材と分離ギャップが開く。分離ギャップの各々は、架橋材料部が架設又は介在されてもよい。
【００２７】
特にコンパクトな構造のプラグコネクタを製造することができるように、チャンバブロック、コンタクト固定ソケット、及びハウジングは、プラグコネクタを組み立てるために一方を他方に嵌入させることができるようにしてもよい。コンタクト固定ソケットは、組み立てられた状態ではチャンバブロックとハウジングとの間で保持されることができる。個別のコンポーネントを一緒に保持するための固定又は係止部材はハウジング上及びチャンバブロック上に構成されればよい。シール部材とコンタクト固定ソケットは両方ともハウジングとチャンバブロックによってポジティブロック態様又は非ポジティブロック態様で保持されてもよい。
【図面の簡単な説明】
【００２８】
本発明は実施形態及び図面を参照して例示的に以下に説明される。その形態の様々な特徴は、個別の有利な形態において既に説明したように、互いに独立して組み合わせることができる。図面は以下のとおりである。
【図１】本発明に従うプラグコネクタの第１の実施形態を分解した斜視図である。
【図２】図１の実施形態に従うチャンバブロックの概略的な斜視図である。
【図３】図２の実施形態のチャンバブロックを断面した概略的な斜視図である。
【図４】図１の実施形態に従うプラグコネクタのハウジングの概略的な斜視図である。
【図５】図１の実施形態に従う本発明に従うプラグコネクタのシール部材の概略的な斜視図である。
【図６】図１の実施形態に従う本発明に従うプラグコネクタのシール部材の概略的な斜視図である。
【図７】図１の実施形態に従う本発明に従うプラグコネクタを断面した図である。
【図８】図１の実施形態に従う本発明に従うプラグコネクタを断面した図である。
【発明を実施するための形態】
【００２９】
まず、本発明に従うプラグコネクタの構造及び／又は機能を図１の実施形態を参照して記述する。
【００３０】
図１は、プラグコネクタ１の分解図であり、プラグコネクタ１は、コンポーネントであるチャンバブロック２と、コンタクト固定ソケット３と、シール部材４と、ハウジング５とを備える。これらのコンポーネントは、プラグコネクタ１の長手方向Ｌに互いに前後に配置された状態で示されている。長手方向Ｌにおいて、これらのコンポーネントは、図示の順序で互いに内側に又は外側に押し込まれ、コンポーネント２乃至５がプラグコネクタ１の組立状態において一方が他方に少なくとも部分的に嵌入されて配置されることができるようにする。このように、チャンバブロック２は、長手方向Ｌの反対方向にコンタクト固定ソケット３内へ少なくとも部分的に挿入される。ハウジング５は、長手方向Ｌに少なくとも部分的にコンタクト固定ソケット３上に押し込まれることができる。シール部材４は、長手方向Ｌに少なくとも部分的にハウジング５とコンタクト固定ソケット３との間に配置されるように長手方向Ｌの反対方向にハウジング５内に挿入されることができる。他のコンポーネント内に押し込まれるコンポーネントは、各々、これらのコンポーネントを少なくとも受容方向Ａに平行に少なくとも部分的に包囲するコンポーネントから突出することができる。
【００３１】
チャンバブロック２は、長手方向Ｌに相手プラグコネクタのコンタクト部材と連結されることができるような構造に構成される。プラグコネクタ１のコンタクト部材は、長手方向Ｌと平行に延出することが好ましい受容方向Ａにチャンバブロック２に挿入され、コンタクト部材又はコンタクト部材に固定された導体は、受容方向Ａの反対方向にチャンバブロック２、コンタクト固定ソケット３、シール部材４及び／又はハウジング５を貫通することができる。
【００３２】
図２乃至６は、図１の実施形態のコンポーネントを拡大した概略の斜視図である。
【００３３】
図２は、チャンバブロック２の概略の斜視図である。チャンバブロック２は略平行六面体のベース部６を備えるように構成されることができる。プラグコネクタ１のプラグ面７は、受容方向Ａを向くチャンバブロック２の端部に配置されることができる。プラグ面７には、相手プラグコネクタの相手コンタクトを受容するための少なくとも１つのコンタクト開口８が配置される。或いは、チャンバブロック２に配置されたコンタクト部材は、チャンバブロック２から受容方向にコンタクト開口８を通って突出する。チャンバブロック２は、２つ以上のコンタクト開口８及び、例えば２つ、４つ、又は６つ以下又はそれ以上のコンタクト開口８を有してもよい。
【００３４】
プラグ面７は、受容方向Ａに対して横断方向にクロージャカラー９と隣接し、クロージャカラー９はチャンバブロック２のベース部６から受容方向Ａに対して垂直に突出する。プラグ面７及びクロージャカラー９は、受容方向Ａに対して横断方向に延出するチャンバブロック２のクロージャプレート１０の一部であってもよい。
【００３５】
チャンバブロック２は、例えば、不正な位置への又は不正な相手コネクタとの不正な挿入を防止する極性付与部材及び／又はコード化部材１１，１２を備えるように構成される。例えば、極性付与部材及び／又はコード化部材１１，１２は、受容方向Ａと平行に延出し、例えば、受容方向Ａの反対方向にクロージャプレート１０を貫通する極性付与溝及び／又はコード化溝として構成される。
【００３６】
更に、プラグコネクタ１は、コンタクト開口８の１つと関連し、そのコンタクト開口８から受容方向Ａに対して横断方向に離間するように配置された少なくとも１つのアクセス開口１３を有する。このようなアクセス開口１３は、コンタクト開口８の各々と関連してもよい。アクセス開口１３は、各アクセス開口１３を介して受容方向Ａと平行及び特に受容方向Ａとは反対の方向にチャンバブロック２の内側にアクセス可能であるように構成されることができる。例えば、アクセス開口１３は、受容方向Ａに対して横断方向に開口することができるギャップとしてクロージャカラー９に配置される。
【００３７】
少なくとも１つのコンタクト部材のための少なくとも１つの受容チャンバ１４は、受容方向Ａと平行にチャンバブロック２を貫通し、コンタクト開口８で終端する。受容チャンバ１４は、コンタクト開口８の１つで終端し、夫々、そのコンタクト開口８に対して開口し、そのコンタクト開口８は、そのコンタクト開口８で終端する受容チャンバ１４よりも受容方向Ａに対して横断方向の直径を小さくすることができる。
【００３８】
受容チャンバ１４は、受容方向Ａの反対方向にチャンバブロック２を完全に貫通し、受容方向Ａとその反対方向に開口している。受容チャンバ１４は、例えば電気コンタクト部材として構成されることができるコンタクト部材を受容するように構成される。
【００３９】
平行六面体のベース部６は、チャネル状に構成され受容方向Ａに対して横断方向に開口するように構成された凹み１５を有することができる。凹み１５は、受容方向Ａにクロージャカラー９と隣接し、受容方向Ａに対して横断方向にチャンバブロック２を貫通するように延出する。凹み１５は、少なくとも１つの受容チャンバ１４と交差し、特に、少なくとも部分的に受容チャンバ１４を貫通する。凹み１５のベース１６は、段差を付けずに受容チャンバ１４に合流するように深く受容方向Ａに対して横断方向にチャンバブロック２を貫通する。
【００４０】
チャンバブロック２は、複数の受容チャンバ１４を有し、そのうち少なくとも数個の受容チャンバ１４は、受容方向Ａに対して横断方向に一直線上になるように配置される。凹み１５は、実質的に均等に一直線上に並んだ受容チャンバ１４を貫通するように構成されることができる。
【００４１】
凹み１５の領域では、チャンバブロック２は少なくとも１つのコンタクト固定部１７を備えるように構成されることができる。コンタクト固定部１７は、１つの受容チャンバ１４に対して少なくとも１つの係止手段１８を含む。係止手段１８は、受容方向Ａに延出し自由端１９が係止手段１８の載置状態において係止手段１８に関連する受容チャンバ１４内に少なくとも部分的に突出する係止舌片として構成されることが好ましい。係止手段１８は、受容方向に対して横断方向に、且つ特に凹み１５のベース１６に対して垂直に弾性的に撓み可能である。
【００４２】
係止手段１８とクロージャカラー９との間では、チャンバブロック２は固定部２０として構成されることができる。固定部２０は、コンタクト部材が受容方向Ａの反対方向に誤って外れることを防止する。受容方向Ａにおいて、固定部２０は、例えば相手プラグコネクタに対するプラグ接続が解除される時に、コンタクト部材が所定の位置から変位したり引き出されたりすることを防止する。受容方向Ａの反対方向への移動は、係止手段１８によって防止されることができる。受容方向Ａにおいては、クロージャプレート１０又はクロージャカラー９がコンタクト部材のための停止部材２１を備えるように構成されることができる。停止部材２１は、受容方向Ａに対して横断方向に延出し受容方向Ａの反対方向を向くクロージャカラー９の背面２２に配置されることが好ましい。背面２２は、プラグ面７の反対側に配置される。特に停止部材２１は、受容方向Ａに対して横断方向にコンタクト開口８に隣接してコンタクト開口８を包囲する。
【００４３】
プラグコネクタ１は、更に、コンタクト固定部材１７に対して冗長態様で設けられた付加的なコンタクト固定部材を有する。この付加的なコンタクト固定部材に関して、チャンバブロック２は、少なくとも１つの受容チャンバ１４と少なくとも部分的に交差する付加的な凹み２３を有することができる。付加的な凹み２３は、凹み１５に平行に延出し、凹み１５，２３は受容方向Ａに前後に配置される。特に、付加的な凹み２３は、凹み１５よりも受容方向Ａの上流に配置され、受容方向Ａにチャンバブロック２内に押し込まれるコンタクト部材が、その終端位置への途中でまず付加的な凹み２３を通り、その後にのみ凹み１５内に押し込まれるようにする。
【００４４】
付加的な凹み２３は、そのベース２４が受容チャンバ１４に平面的に合流するように深く受容方向Ａに対して横断方向に平行六面体のベース部６に形成される。或いは、受容チャンバ１４は、付加的な凹み２３の領域においてチャネル２５として付加的な凹み２３のベース２４を貫通する。チャネル２５は、受容方向Ａにクロージャカラー９まで延出する、即ち、凹み１５のベース１６も貫通することができる。
【００４５】
付加的な凹み２３の領域では、チャンバブロック２は、付加的なコンタクト固定部材を固定するための係止部材２６を備えるように構成されることができる。係止部材２６は、例えば、受容方向Ａに対して横断方向に延出し、受容方向Ａに又はその反対方向に付加的な凹み２３内に突出する係止ウェブとして形成される。係止部材２６は、少なくとも１つの受容チャンバ１４上に延出し、或いは、複数の受容チャンバ１４が設けられている場合は、互いに隣接させて又は一直線上に配置された少なくとも２つ、３つ、又は全ての受容チャンバ１４上に延出する。
【００４６】
図３は、図２のチャンバブロック２を示し、分かり易いようにクロージャプレート１０が省略されている。図３は、従って、チャンバブロック２を断面した概略的な斜視図であり、切断面が受容方向Ａに対して横断方向に延出し、固定部２０内に配置されている。
【００４７】
図３の図面において、受容方向Ａは、実質的に投影面の外側に向かう。受容チャンバ１４は、実質的に投影面の中に延出し、円形又は多角形の断面又はベース面Ｑを有する。図３の実施形態では、受容チャンバ１４は、受容方向Ａに対して横断方向に実質的に正方形の断面Ｑを有している。
【００４８】
受容方向Ａに対して垂直に延出する横断方向Ｂにおいて、複数の受容チャンバ１４は互いに隣接し、特に互いに一直線上に配置される。係止手段１８も横断方向Ｂに互いに隣接して配置され、受容方向Ａに対して垂直に及び横断方向Ｂに撓ませる又は変形させることができる。特に、係止舌片として構成された係止手段１８の少なくとも自由端１９は、チャンバブロック２から離れるように方向Ａ，Ｂに対して横断方向に弾性的に撓ませることができる。
【００４９】
係止手段１８の自由端１９は、横断方向Ｂに前後に配置される少なくとも２つの部分を有する。これらの部分の一方は係止部２７として、他方は駆動部２８として形成される。少なくとも係止部２７は、係止手段１８の図示の載置位置Ｐにおいて受容チャンバ１４内に突出することができる。係止部２７は、駆動部２８に対して、及び方向Ａ，Ｂに対して横断方向に受容チャンバ１４内に突入する係止フック２９を備えるように構成されることができる。係止フック２９は、受容方向Ａの反対方向にコンタクト部材のための傾斜した導入部材３０を備えるように構成され、受容方向Ａにおいて、方向Ａ，Ｂに対して実質的に横断方向に延出するコンタクト部材のための保持面３１を有する。駆動部２８も係止手段１８の載置位置において受容チャンバ１４内に突出するが、係止部２７ほど突出しない。
【００５０】
駆動部２８は、アクセス開口１３を介して受容方向Ａと平行且つ受容方向Ａの反対方向にアクセス可能であるようにアクセス開口１３の受容方向Ａ下流に配置される。それにより、係止手段１８として構成されるコンタクト固定部材１７とコンタクト部材との間の係止接続は、例えばマンドレルを使用して解除されることができる。マンドレルは、アクセス開口１３を介して挿入され、係止手段１８の少なくとも自由端を方向Ａ，Ｂに対して横断方向に受容チャンバ１４の外へ押し出すことができる。その結果、欠陥のあるコンタクト部材を、プラグコネクタを分解することなく容易に交換することができる。
【００５１】
受容チャンバ１４は、受容方向Ａに延出する壁部３２，３２'によって互いに分離される。壁部３２は、方向Ａ，Ｂに平行に延出し、夫々互いに隣接して又は横断方向Ｂに互いに一直線に配置される受容チャンバ１４の二つの群を互いに分離する。壁部３２'は、横断方向Ｂに対して垂直に、壁部３２'が終端する凹み１５内へ延出する。２つの壁部３２'は、いずれも受容チャンバ１４の内の１つの側面に位置する。
【００５２】
極性付与溝及び／又はコード化溝１１，１２は、ベース部６によって受容方向Ａとは反対方向に限定された状態で壁部３２，３２'を貫通する。
【００５３】
プラグ面７よりも受容方向Ａの上流において、チャンバブロック２は、プラグコネクタ１内にチャンバブロック２を固定するための係止部３３を備えるように構成される。係止部３３は、チャンバブロック２の側面３４，３４'及び特にそのベース部６に、横断方向Ｂに及び横断方向Ｂの反対方向に、係止部材、例えば、係止突起３３'又は係止凹みを備える。
【００５４】
図４は、図１の実施形態のハウジング５を拡大した概略の斜視図であり、受容方向Ａは、実質的に傾斜した状態で投影面の外に向かっている。
【００５５】
ハウジング５は、ハウジング５をその他のコンポーネント２乃至４に固定するための少なくとも１つ、特に２つの係止アームに３５を有する。係止アーム３５は、特に、チャンバブロック２の係止部３３と係合することができるように構成される。受容方向Ａを向く少なくとも１つの係止アーム３５の自由端３６の領域では、係止アーム３５は、係止部３３と係止接続するように構成された係止部材３７を備えるように構成される。特に、係止部材３７は、横断方向Ｂに突出する係止フックとして構成される。複数の係止アーム３５が設けられる場合、係止フックとして構成される係止部材は、例えば、受容方向Ａに対して横断方向に互いに向かって又は互いに離れるように突出する。
【００５６】
ハウジング５は、相手プラグコネクタと係合するように構成される。このために、ハウジング５は係止部材３８が形成される。例えば、係止部材３８は、受容方向Ａに対して横断方向に、且つ横断方向Ｂに又は横断方向Ｂの反対方向に延出する少なくとも１つの係止凹み３９を有する。力を均等に伝達するために、係止部材３８は、夫々横断方向Ｂに又はその反対方向に互いに離れるように延出する２つの係止凹み３９，３９'を有してもよい。係止凹み３９，３９'は、受容方向Ａに対して横断方向に開口し、受容方向Ａに平行にハウジング５を貫通する分離ギャップ４０を形成する。係止凹み３９，３９'は、分離ギャップ４０に沿って同じ高さに又は互いに対向して配置されることが好ましい。
【００５７】
分離ギャップ４０は、ハウジング５の部分シェル４１，４２を互いに分離することができる。ハウジング５は、分離ギャップ４０によって非対称的に分離される。しかし、図４の実施形態によれば、部分シェルはハーフシェルとして形成されてもよい。更に、ハーフシェル４１，４２は、他の分離ギャップ４０'によって互いに分離され、この他の分離ギャップ４０'は、その経路上に付加的な係止部３８'を有する。
【００５８】
受容方向Ａの反対方向において、分離ギャップ４０及び分離ギャップ４０'は、ハウジング５の駆動部４３を貫通する。駆動部４３は、係止部３８よりも受容方向Ａの上流及び係止部３８'よりも受容方向Ａの上流に配置される。ハウジング５は、駆動部４３の領域において受容方向Ａに対して横断方向に分離ギャップ４０，４０'を圧縮することによって反対方向に係止部３８，３８'が開くように構成される。このために、ハウジング５は、各分離ギャップ４０，４０'を架橋し部分シェル４１，４２を互いに関節式に接続することができる弾性変形可能な架橋材料部４４を１つの分離ギャップ４０，４０'に対して少なくとも１つ有することができる。架橋材料部４４によって、ハウジング５はこのようにプライヤ状に構成されることができる。架橋材料部４４は、係止部３８，３８'の少なくとも一方を有するハウジング５の駆動部４３と係止部４３'との間で受容方向Ａに配置される。係止部４３'はハウジング５の前部と、駆動部４３はハウジング５の後部と呼んでもよい。
【００５９】
図５及び６は、夫々、図１の実施形態のシール部材４を拡大した概略的な斜視図である。
【００６０】
図５では、受容方向Ａは、実質的に投影面内に向けられている。液体が導入されないようにプラグコネクタ１を密閉することができるように、シール部材４は、内側及び外側シール部分４５，４６を備えるように構成されることができる。
【００６１】
内側と外側のシール部分４５，４６間には、内側シール部分４５の周囲に受容方向Ａに対して横断方向に少なくとも部分的に又は全周に延出するシール溝４７が配置される。受容方向Ａには、シール部材４が組み立てられた状態で受容チャンバ１４と一直線上にある少なくとも１つのシールチャネル４８が延出する。シールチャネル４８は、コンタクト部材又はコンタクト部材に固定される導体を少なくとも部分的に密閉態様で受容することができるように構成される。シール部材４は、特に、１つの受容チャンバ１４に対して１つのシールチャネル４８を含む。
【００６２】
少なくとも１つのシールリップ４９は、少なくとも内側シール部分４５からシール溝４７に突出する。加えて、外側シール部分４６もシール溝４７に突出する少なくとも１つのシールリップを備えるように構成されることができる。更に、外側シール部分４６は、受容方向Ａに対して横断方向に突出しシール部材４周りに延出する少なくとも１つのシールリップ５０を備えるように構成されることができる。内側と外側のシール部分４５，４６は両方とも複数のシールリップ４９，５０を有してもよい。
【００６３】
図６では、シール部材４は、受容方向Ａに対して横断方向に約１８０°回転させた状態で示されている。図６の実施形態に示すように、シール部材４は、受容方向Ａにシール部材４を貫通し特にシール溝４７内に開口する少なくとも１つの貫通口５１を有する。貫通口５１は、ハウジング５の係止アーム３５を少なくとも部分的に受容するように構成される。ハウジング５が２つ以上の係止アーム３５を有する場合、シール部材４は１つの係止アーム３５に対して１つの貫通口５１を備えるように構成されることができる。シール部材４に２つの貫通口５１が形成される場合、これらの貫通口５１は横断方向に前後に配置される。更に、少なくとも１つのシールチャネル４８及び、例えば、一群のシールチャネル４８は、２つの貫通口５１の間で内側シール部分４５を貫通するように配置される。
【００６４】
図７は、プラグコネクタ１を断面した概略的な斜視図である。プラグコネクタ１は、受容方向Ａ及び横断方向Ｂに対して垂直に延出する平面における切断面として示され、この切断平面は分離ギャップ４０，４０'を通っている。プラグコネクタ１のコンポーネント、即ち、チャンバブロック２、コンタクト固定ソケット３、シール部材４、及びハウジング５は、プラグコネクタ１の図示の組立状態Ｚにおいて一つのコンポーネントが他のコンポーネントに嵌入するように配置され、チャンバブロック２はコンタクト固定ソケット３内に少なくとも部分的に配置される。
【００６５】
ハウジング５は、各受容チャンバ１４に対して少なくとも１つのコンタクト開口５３を含むコンタクト接続片５２を備えるように構成されることができる。組立状態Ｚにおけるコンタクト開口５３は、受容方向Ａに受容チャンバ１４及びシールチャネル４８と一直線上にあり、コンタクト部材とコンタクト部材に固定される導体がプラグコネクタ１を直線的に貫通することができるようにする。シールチャネル４８が、液体が導入されないようにプラグコネクタ１を密閉するための少なくとも１つのシールリップ５４を有することが明瞭に分かる。
【００６６】
ハウジング５はベースプレート５５を備えるように構成されることができ、ベースプレート５５は受容方向Ａに対して横断方向に向きを設定され、ベースプレート５５からはコンタクト接続片５２が受容方向Ａの反対方向に突出することができる。ベースプレート５５は、ハウジング５の変形性能ひいては係止部材３８，３８'の機能に悪影響を及ぼすことがないように、架橋材料部４４のみに固定されることが好ましい。或いは、ベースプレート５５は、その縁部が少なくとも部分的に又は完全に架橋材料部４４に及び部分シェル４１，４２に固定されてもよく、それにより、ハウジング５の剛性及び係止部材３８，３８'の効果的な係合力が増大される。
【００６７】
ベースプレート５５よりも受容方向の下流において、ハウジング５は、シール部材４のための少なくとも１つの位置決めリブ５６を有する。位置決めリブ５６は、シール溝４７に対して実質的に補完的に構成され、例えば、環状又は王冠状に構成されることができる。シール部材４の内側シール部分４５は、位置決めリブ５６によって受容方向Ａに対して横断方向に区切られた受容空間５７に配置され、その少なくとも１つのシールリップ４９は位置決めリブ５６に密閉態様で当接することができる。
【００６８】
外側シール部分４６は、受容方向Ａに対して横断方向に自由受容空間５７の外側で位置決めリブ５６周りに延出する。外側シール部分４６の少なくとも１つのシールリップ５０は、受容方向Ａに対して横断方向に内側シール部分４５から離れて相手プラグコネクタのためのシール空間５８に突入することができる。シール空間５８は、受容方向Ａに対して横断方向には位置決めリブ５６と部分シェル４１，４２によって区切られ、受容方向Ａの方向には開口している。また、シール空間５８は、受容方向Ａに対して横断方向に受容空間５７周りに延出する。
【００６９】
少なくとも凹み１５は、また、付加的な凹み２３は、組立状態Ｚにおいて、コンタクト固定ソケット３によって受容方向Ａに対して横断方向に少なくとも部分的に覆われる。それにより、少なくとも、コンタクト固定部１７の少なくとも１つの係止手段１８は、プラグコネクタ１の外側のコンポーネントによる損傷から保護されることができる。
【００７０】
コンタクト固定ソケット３がチャンバブロック２に対して受容方向Ａに押し込まれ過ぎないようにするため、クロージャカラー９又はクロージャプレート１０はコンタクト固定ソケット３のための停止部材として機能する。
【００７１】
コンタクト固定ソケット３は、付加的なコンタクト固定部を形成しその載置位置Ｐ'ではチャンバブロック２の完全に外側に配置される少なくとも１つの弾性変形可能なコンタクト固定アーム５９を備えるように構成されることが好ましい。コンタクト固定アーム５９は、コンタクト固定ソケット３の内側を向く固定爪６０を備えるように構成されることができる。図示の組立状態Ｚにおける弾性変形可能なコンタクト固定アーム５９は、その固定爪６０が付加的な凹み２３内に圧入されるように受容方向に対して横断方向にチャンバブロック２に向かう方向に向きを変えることができる。
【００７２】
固定爪６０がチャンバブロック２に向かう方向に最大限押圧されると、固定爪６０は付加的な凹み２３を通って受容チャンバ１４内へ突入する。この固定位置では、固定爪６０は、コンタクト部材が受容方向Ａに平行に誤って変位することを防止することができる。コンタクト固定アーム５９の弾性によって固定爪６０が付加的な凹み２３から受容方向Ａに対して横断方向に抜けることがないことを保証するために、固定爪６０は、チャンバブロック２の係止部材２６と係合するために構成された係止部材６１を有する。例えば、係止部材６１は、受容方向Ａに対して横断方向に延出し受容方向Ａの反対方向に突出する係止バーとして形成されることができる。
【００７３】
図８は、本発明に従うプラグコネクタ１の概略的な断面図であり、切断平面は方向Ａ，Ｂに延出している。
【００７４】
プラグコネクタ１は図８においても組立状態Ｚで示されている。図８の図面では、プラグコネクタ１のコンポーネントが内部でどのように結合しているかが明瞭に分かる。嵌合したコンポーネントのうち、チャンバブロック２は最も内側のコンポーネントと見なされる。チャンバブロック２は、受容方向Ａの反対方向に少なくとも部分的にコンタクト固定ソケット３内に挿入される。コンタクト固定ソケット３は更に少なくとも部分的にハウジング５内に配置される。
【００７５】
シール部材４は、受容方向Ａにおいてチャンバブロック２又はコンタクト固定ソケット３とハウジング５との間に配置される。
【００７６】
ここで、プラグコネクタ１の個々のコンポーネントが分離することを防止するために、ハウジング５は、係止アーム３５によってチャンバブロック２の係止部３３と係合される。それにより、少なくともチャンバブロック２がハウジング５から受容方向Ａに容易には外れることができないことが保証される。
【００７７】
ハウジング５とチャンバブロック２との係合は、係止アーム３５と係止部３３の少なくとも受容方向Ａにおいてある程度の寸法精度を必要とする。更に、ハウジング５とチャンバブロック２との間の係止接続は、この係止接続に反して受容方向Ａに働く力によって弾性的にプリテンションをかけると有利である。この弾性的にプリテンションをかけるため、及び公差を補償するために、シール部材４は、少なくとも受容方向Ａと平行に弾性的に構成され、受容方向Ａにハウジング５及びチャンバブロック２又はコンタクト固定ソケット３によって弾性的に圧縮される。更に、シール部材４は、チャンバブロック２とハウジング５との間に配置されたコンタクト固定ソケット３を、クロージャカラー９に対して受容方向Ａに弾性的に押圧することができる。このように、コンタクト固定ソケット３が受容方向Ａに平行に不十分に位置決めされることがないように、及びガタつく恐れがないようにする。
【図１】
2014520376.tif 000003
【図２】
2014520376.tif 000004
【図３】
2014520376.tif 000005
【図４】
2014520376.tif 000006
【図５】
2014520376.tif 000007
【図６】
2014520376.tif 000008
【図７】
2014520376.tif 000009
【図８】
2014520376.tif 000010
【国際調査報告】
2014520376.tif 000011
2014520376.tif 000012